(57)【要約】【課題】  公共トイレの便座を不衛生なままにせず、且つ便座が清潔なものであることをトイレ利用者に認識させることを目的とする。【解決手段】  洋式大便器（１）に具備されている便座（２）を、殺菌装置（３）を内蔵したキャビネット（４）へ電動移動装置（５）を駆動して収納し、その後、便座（２）に高温風を噴射する殺菌装置（３）を作動して便座表面を殺菌する。キャビネット（４）には、便座の殺菌が終了した事を点灯表示する表示部（９）を設けた。表示部（９）が点灯することで、衛生状態に保たれていることを利用者に視覚的に認知させることができる。【選択図】  図１
2005118183.tif 000002
【特許請求の範囲】
【請求項１】
便座を具備する大便器と、前記大便器の後方に設けられ前記便座を殺菌する機構を内蔵したキャビネットと、前記便座を、前記キャビネット内と大便器上面との間を移動させる電動移動装置と、前記大便器の使用の有無を検出する使用状態検出手段と、前記使用状態検出手段に基づき前記便座および便座殺菌機能の作動を制御する制御部を備えた大便器ユニットにおいて、前記制御部は、前記使用状態検出手段が大便器の使用終了を検出すると前記電動移動装置を駆動して前記便座を前記キャビネットに収納し、前記便座殺菌機構を作動して前記便座を殺菌してなり、前記キャビネットには、前記便座の殺菌が終了したことを点灯表示する表示部を設けたことを特徴とする大便器ユニット。
【請求項２】
前記便座殺菌機構は、便座に所定温度の高温温風を噴射して、前記便座表面を殺菌する温風噴出機構としたことを特徴とする請求項１記載の大便器ユニット。
【請求項３】
前記制御部は、前記温風噴出機構の停止後、前記電動移動装置を駆動して、前記便座を大便器上面に移動させることを特徴とする請求項２記載の大便器ユニット。
【請求項４】
前記表示部は、前記温風噴出機構の停止から所定時間経過後に、点灯することを特徴とする請求項２又は３に記載の大便器ユニット。
【請求項５】
前記便座の位置を検出するセンサーを設け、前記センサーが、前記便座が大便器上に移動したことを検出すると、前記制御部が前記表示部を点灯表示することを特徴とする請求項３記載の大便器ユニット。
【請求項６】
前記制御部は、前記センサーが、前記便座が前記キャビネット外にあることを検出すると、前記便座殺菌機構を作動しないことを特徴とする請求項５記載の大便器ユニット。
【請求項７】
前記制御部は、前記センサーが、前記便座がキャビネット内にあることを検出し、且つ、前記使用状態検出手段が大便器の使用を検出すると、前記便座殺菌機構を作動しないことを特徴とする請求項５記載の大便器ユニット。
【発明の詳細な説明】
【技術分野】
【０００１】
本発明は、汚れた大便器の便座の清掃又は殺菌を自動的に行えるトイレ装置に関する。
【背景技術】
【０００２】
大勢の人が利用する駅舎等の公共トイレでは、肌が触れない和風トイレが衛生的であることで主流となっているが、床がすぐ汚物で汚されるという欠点がある。腰掛便器を使用すればその欠点は解消するが、便座に肌が触れるということで敬遠されがちである。そのため、便座に敷くシートペーパを用意しておいて、利用者が適宜これを敷いて肌が直接便座に触れないようにしたり、自動でシートペーパが出てくる装置等が使われていた。しかしながらシートペーパーの場合、管理者が補充することが前提となり、利用者が多い駅舎等のトイレにおいては、補充が間に合わず、補充回数も多くなって手間がかかるうえ、又いたずらでシートペーパを持って行かれる等の問題があった。
【０００３】
そのような問題点を解消するために、特許文献１あるいは２のように、便座を備えた腰掛便器において、便座を収納して密閉する清掃室を便器本体に取り付けたキャビネット内に設け、この清掃室に収納した便座に向かって除菌液と洗浄液を噴出するノズル及び温風を吹出す装置が提案されている。
【特許文献１】特開平３−２４４４１９号公報（第１図）
【特許文献２】特開平６−１９７８４９号公報（第１図）
【発明の開示】
【発明が解決しようとする課題】
【０００４】
しかし、上記のような従来の装置では、清掃された状態なのかが否かがトイレ利用者にはわかりづらく、公共トイレでは不衛生な感じを受ける便座が敬遠されてしまうという上述した問題を解消するには至らなかった。
本発明は、上記問題を解決するためになされたもので、公共トイレの便座を不衛生なままにせず、且つ便座が清潔なものであることをトイレ利用者に認識させることを目的とする。
【課題を解決するための手段】
【０００５】
上記目的を達成するために請求項１記載の発明によれば、便座を具備する大便器と、前記大便器の後方に設けられ前記便座を殺菌する機構を内蔵したキャビネットと、前記便座を、前記キャビネット内と大便器上面との間を移動させる電動移動装置と、前記大便器の使用の有無を検出する使用状態検出手段と、前記使用状態検出手段に基づき前記便座および便座殺菌機構の作動を制御する制御部を備えた大便器ユニットにおいて、前記制御部は、前記使用状態検出手段が大便器の使用終了を検出すると前記電動移動装置を駆動して前記便座を前記キャビネットに収納し、前記便座殺菌機構を作動して前記便座を殺菌してなり、前記キャビネットには、前記便座の殺菌が終了したことを点灯表示する表示部を設けたことを特徴とすることにより、大便器利用者が立つと、便座を殺菌する一連の工程が連続して自動的に行われるので、利用者が多い公衆トイレ等での清掃作業が減り、大便器利用者は清掃作業に煩わされることなく、常に衛生的で清潔な便座が利用できる。また、便座が常に清潔である事が表示されている為、常に安心して使用できる。
便座が常に清潔なことから延いては、利用者の腰掛便器への嫌悪感がなくなり、公衆トイレでの腰掛便器の普及率を高め、床等の汚れを減らすことを可能とした。
【０００６】
また、請求項２記載の発明によれば、  前記便座殺菌機構は、便座に所定温度の高温温風を噴射して、前記便座表面を殺菌する温風噴出機構とすることにより、常に便座が殺菌でき、また便座を液体で洗浄する必要も無い為、防水構造等を施す必要がなくなり、構造が簡単となり、簡単な設置を可能とした。
【０００７】
また、請求項３記載の発明によれば、制御部は、前記温風噴出機構の停止後、前記電動移動装置を駆動して、前記便座を大便器上面に移動させることをにより、次の大便器利用者は手で便座を触ることなく、利用できる事を可能とした。
【０００８】
また、請求項４記載の発明によれば、前記表示部は、前記温風噴出機構の停止から所定時間経過後に、点灯することにより、便座が常に清潔である事が表示されている為、常に安心して使用できる状態を可能とした。
【０００９】
また、請求項５記載の発明によれば、前記便座の位置を検出するセンサーを設け、前記センサーが、前記便座が大便器上に移動したことを検出すると、前記制御部が前記表示部を点灯表示することにより、便座が常に清潔である事が表示されている為、常に安心して使用できる状態を可能とした。
【００１０】
また、請求項６記載の発明のよれば、前記制御部は、前記センサーが、前記便座が前記キャビネット外にあることを検出すると、前記便座殺菌機構を作動しないことにより、利用者が多い公衆トイレ等でも安心して使うことを可能とした。
【００１１】
また、請求項７記載の発明のよれば、前記制御部は、前記センサーが、前記便座がキャビネット内にあることを検出し、且つ、前記使用状態検出手段が大便器の使用を検出すると、前記便座殺菌機構を作動しないことにより、利用者が多い公衆トイレ等でも安心して使うことを可能とした。
【発明の効果】
【００１２】
本発明によれば、大便器利用者が便座から立つと、便座を殺菌する一連の工程が連続して自動的に行われるので、利用者が多い公衆トイレ等での清掃作業が減り、大便器利用者は清掃作業に煩わされることなく、常に衛生的で清潔な便座が利用できる。また、便座が常に清潔である事が表示されている為、常に安心して使用できる。
また、便座が常に清潔なことから延いては、利用者の腰掛便器への嫌悪感がなくなり、公衆トイレでの腰掛便器の普及率を高め、床等の汚れを減らすことができる。
【発明を実施するための最良の形態】
【００１３】
図１は本発明の実施形態を示す図であり、この図面に基づいて本実施形態を説明する。
大便器ユニット（８）は、洋式大便器（１）と、大便器（１）の上に具備されている便座（２）と、殺菌装置（３）を内蔵したキャビネット（４）と、便座（２）をキャビネット（４）内と大便器（１）の間で移動させる電動移動装置（５）と、大便器（１）の使用の有無を検出する使用状態検出手段（６）と、便座（２）や殺菌装置（３）や電動移動装置（５）等の動作を制御する制御部（７）を備えている。
【００１４】
電動移動装置（５）は、使用状態検出手段（６）が大便器（１）の使用終了を検出すると、制御部（７）からの指令により駆動して、便座（２）をキャビネット（４）に収納し、殺菌装置（３）の停止後には、便座（２）をキャビネット（４）から大便器（１）の上面に移動させる。
【００１５】
殺菌装置（３）は、キャビネット（４）に収納された、約５０℃以上の熱風噴射を行なうヒーターを内蔵した熱風ファンユニット（１０）と、ダクト（１１）とから構成されている。電動移動装置（５）を駆動して便座（２）をキャビネット（４）に収納して、殺菌装置（３）を作動して便座表面を殺菌させる。また、熱風の噴射により、便座（２）表面に付着していた水滴は吹き飛ばされる。
なお、便座（２）の中央の開口部は、キャビネット（４）に設けた塞ぎ蓋（図示せず）で封止して、熱風がキャビネット（４）外に漏れないようにしている。
【００１６】
キャビネット（４）の前面上部には、便座（２）の殺菌が終了したことを点灯表示する表示部（９）を設けている。殺菌装置（３）の停止後から所定時間後に、制御部（７）の指令により、表示部（９）に「殺菌済み」等の表示を点灯させる。又殺菌中に関しても「殺菌中」等の表示を点灯させてもよい。
【００１７】
使用状態検出手段（６）は、大便器（１）の利用者の有無を検出する光センサー等であり、便座（２）への着座を以って利用者として検出する着座センサーあるいは大便器の直前に立つ者を利用者として検出する人体検出センサーを利用することができる。さらに、両センサーを組み合わせて利用してもよい。
【００１８】
また、便座（２）の位置を検出するセンサー（１２）を設け、このセンサー（１２）が便座（２）が大便器（１）の上に移動したことを検出すると、制御部（７）が表示部（９）を点灯させる。このセンサー（１２）は、図３に示すように、便座（２）に内蔵された磁石（１３）を、ケーシングに内蔵された磁気検出手段である。なお、このセンサー（１２）が便座（２）がキャビネット（４）内に移動したことを検出すると、制御部（７）が表示部（９）を殺菌中等の表示を点灯させてもよい。
【００１９】
制御部（７）は、センサー（１２）が、キャビネット（４）内に便座（２）がないことを検出すると、殺菌装置（３）を作動しないようにしている。すなわち、殺菌工程中に、利用者が便座を引き出すと、殺菌装置（３）は運転を停止する。
【００２０】
また、制御部（７）は、センサー（１２）が、キャビネット（４）内にあることを検出し、かつ、使用状態検出手段（６）が大便器の使用を検出すると、殺菌装置（３）は作動しないように制御を行う。すなわち、便座（２）をキャビネット（４）内に収納し殺菌装置（３）の作動中に、利用者がトイレに入った場合には、殺菌を途中で停止するのである。このため、殺菌時間を待たずに用便を行なうことができ、緊要の場合に役に立つ。
なお、殺菌装置を、高温噴出により行なう本実施の形態によれば、数秒で便座表面の殺菌乾燥がなされるので、殺菌工程中に次の利用者がトイレに入ってくる心配はない。
【００２１】
次に、大便器ユニットによる自動殺菌工程の、殺菌手段と表示手段の動作を、図４のフローチャートにより説明する。
便座（２）の殺菌は、利用者が大便器（１）から離れた時から、使用状態検出手段（６）が大便器の使用終了を検知してスタートする（ＳＴＥＰ１、ＳＴＥＰ２）。利用者がまだ大便器にいる場合は自動殺菌工程をスタートしない（ＳＴＥＰ３）。使用状態検出手段（６）が利用者の不在を検出して大便器使用を終了したと判断すると、電動移動装置（５）が便座（２）をキャビネット（４）内へ駆動する（ＳＴＥＰ４）。便座（２）の位置を検出するセンサー（１２）が便座（２）がキャビネット（４）に移動したことを検出すると、殺菌装置（３）が殺菌を開始して、タイマーがスタートする（ＳＴＥＰ５）とともに、制御部（７）が表示部（９）を「殺菌中」と点灯させる（ＳＴＥＰ６）。ただし、このセンサー（１２）が、便座（２）のキャビネット（４）への移動完了を検出するまでは、無論、殺菌装置（３）をスタートさせない（ＳＴＥＰ７）。
【００２２】
殺菌装置（３）がスタートした後、使用状態検出手段（６）が人を検出してトイレ使用を検知すると、殺菌装置（３）はＳＴＯＰする（ＳＴＥＰ８）。使用状態検出手段（６）が人を検知しなければ（ＳＴＥＰ９）、所定時間のタイムアップまで殺菌装置（３）を駆動させる（ＳＴＥＰ１０）。
【００２３】
殺菌装置（３）がタイムアップしてＳＴＯＰすると、電動移動装置（５）が便座（２）をキャビネット（４）から大便器（１）へと、駆動する（ＳＴＥＰ１１）。便座（２）の位置を検出するセンサー（１２）が便座（２）が大便器（１）に移動したことを検出すると（ＳＴＥＰ１２）、制御部（７）が表示部（９）を「殺菌済み」と点灯させ（ＳＴＥＰ１３）、次の大便器の利用者が来るまで待機する（ＳＴＥＰ１５）。。ただし、このセンサー（１２）が、便座（２）のキャビネット（４）への移動完了を検出するまでは、制御部（７）は、「殺菌中」と表示部（９）を点灯させる（ＳＴＥＰ１４）。
【図面の簡単な説明】
【００２４】
【図１】本発明の実施形態における大便器ユニットを示す概略図である。
【図２】本発明の実施形態における大便器ユニットの便座や電動移動装置機構を説明する斜視図である。
【図３】本発明の実施形態における便座の位置を検出するセンサーを説明する図である。
【図４】本発明のの実施形態における大便器ユニットの自動殺菌工程を説明するフロ−チャ−トである。
【符号の説明】
【００２５】
１…洋式大便器
２…便座
３…殺菌装置（便座殺菌機構）
４…キャビネット
５…電動移動装置
６…使用状態検出手段
７…制御部
８…大便器ユニット
９…表示部
１０…熱風ファンユニット（温風噴出機構）
１１…ダクト
１２…便座の位置を検出するセンサー
１３…磁石
【図１】
2005118183.tif 000003
【図２】
2005118183.tif 000004
【図３】
2005118183.tif 000005
【図４】
2005118183.tif 000006